(57)【特許請求の範囲】
【請求項１】
撮像素子を用いて被写体像を撮像し、該撮像により取得される複数の原色信号の画像データを出力する撮像手段と、
前記撮像手段から出力された原色信号の画像データに対して画像処理を実施して新たな原色信号の画像データを出力する画像処理手段と、
を備え、
前記画像処理手段は、
前記撮像素子の光電変換特性を前記原色信号の画像データに対して補正変換するリニアマトリックス変換手段と、
前記リニアマトリックス変換を行った後に原色信号のゲインを調節するホワイトバランス調節手段と、
前記リニアマトリックス変換を行った後の原色信号であって、前記ホワイトバランス調節手段によってホワイトバランス調節される前の原色信号を入力し、該原色信号に基づいて自動露出調節を実施するための評価値を算出する評価値算出手段と、
を備えたことを特徴とする電子カメラ。
【請求項２】
前記評価値算出手段は、前記リニアマトリックス変換手段から入力する原色信号ごとに該原色信号を積算し、各積算値を前記リニアマトリックス変換手段の係数によって補正して評価値を算出することを特徴とする請求項１の電子カメラ。
【請求項３】
前記ホワイトバランス調節手段は、前記評価値算出手段によって算出された評価値に基づいて各原色信号のゲインをそれぞれ調節してホワイトバランス調節を行うことを特徴とする請求項１又は２の電子カメラ。
【発明の詳細な説明】
【０００１】
【発明の属する技術分野】
本発明は電子カメラに係り、特に撮像画像の色再現性を改善するためのリニアマトリックス変換手段を備えた電子カメラに関する。
【０００２】
【従来の技術】
従来の電子カメラでは固体撮像素子からの出力信号をＲ、Ｇ、Ｂの原色信号に分離して出力しても、色相や色の飽和度などの色再現性の点で必ずしも十分とは言えず、また、輝度信号と比較して空間周波数の帯域幅が狭く、画質の点で満足のいく再生画像が得られないという問題があった。このような信号の色再現性を改善する目的で入力ＲＧＢ信号を変換して補正されたＲＧＢ出力信号を得るために、特開平１１−１９１８９３号に示されているようなリニアマトリックスという回路が用いられている。
【０００３】
また、特開平５−２３６４９２号の公報には、３種の原色信号入力ＲIN、ＧIN、ＢINに対し、３個の差動増幅器を用いるとともに、マイクロコンピュータで設定する３個の補正データを用いて原色出力信号ＲOUT 、ＧOUT 、ＢOUT を得るカラービデオカメラが示されている。
【０００４】
【発明が解決しようとする課題】
しかしながら、従来の特開平１１−１９１８９３号に示されているリニアマトリックス回路は、ビデオカメラの信号処理系のうちの用いられている場所に関する記載が無く、ホワイトバランス等の信号処理の過程で色相の誤調節や画像データに含まれるノイズを増幅してしまう可能性があった。
【０００５】
また、特開平５−２３６４９２号の公報に示されているカラービデオカメラでは、ＣＣＤから出力した画像信号をＣＤＳ回路に伝送して色信号Ｃ１、Ｃ２を取り出し、色分離マトリックス回路にてＲ、Ｇ、Ｂの原色信号とＹH の輝度信号とを生成してゲインコントロール回路に伝送してホワイトバランスを自動調節してからリニアマトリックス回路にて各カラーフィルタの分光透過率に応じた補正係数に基づいてマトリックス演算を行っていた。そのため、リニアマトリックス回路の前段におけるホワイトバランスの自動調節を行う過程で画像データのゲインを上げる際に色相が変化してしまうとともにノイズも一緒に増幅してしまい、色の再現性が悪くノイズが目立つ画像データを生成してしまう可能性があった。なお、色の再現性が悪い画像データに基づいて画像を用紙にプリントする際には、自動または手動操作にてプリント画像の色補正を実施する必要があった。
【０００６】
本発明は、このような事情に鑑みてなされたもので、ホワイトバランス等のＲＧＢのゲイン調節を実施する以前の段階でリニアマトリックス変換による補正を実施することによって、ノイズが少なく色の再現性が良好で混色を生じない画像が得られる電子カメラを提供することを目的としている。
【０００７】
【課題を解決するための手段】
本発明は前記目的を達成するために、撮像素子を用いて被写体像を撮像し、該撮像により取得される複数の原色信号の画像データを出力する撮像手段と、前記撮像手段から出力された原色信号の画像データに対して画像処理を実施して新たな原色信号の画像データを出力する画像処理手段と、を備え、前記画像処理手段は、前記撮像素子の光電変換特性を前記原色信号の画像データに対して補正変換するリニアマトリックス変換手段と、前記リニアマトリックス変換を行った後に原色信号のゲインを調節するホワイトバランス調節手段と、前記リニアマトリックス変換を行った後の原色信号であって、前記ホワイトバランス調節手段によってホワイトバランス調節される前の原色信号を入力し、該原色信号に基づいて自動露出調節を実施するための評価値を算出する評価値算出手段と、を備えたことを特徴としている。
【０００８】
本発明によれば、撮像素子を用いて被写体像を撮像し該撮像により取得される複数の原色信号の画像データを出力する撮像手段と、前記撮像手段から出力された原色信号の画像データに対して画像処理を実施して新たな原色信号の画像データを出力する画像処理手段とを備え、前記画像処理手段は撮像素子の光電変換特性を前記原色信号の画像データに対して補正変換するリニアマトリックス変換手段と、前記リニアマトリックス変換を行った後に原色信号のゲインを調節するホワイトバランス調節手段とを含むので、ノイズが少なく色の再現性が良好な電子カメラを提供することが可能となる。
【０００９】
【発明の実施の形態】
以下添付図面に従って、本発明に係る電子カメラの好ましい実施の形態について詳説する。
【００１０】
図１は、電子カメラの撮像信号の処理を示す流れ図である。
【００１１】
同図によれば、電子カメラ１０の撮像手段は、被写体像１１をＣＣＤ（固体撮像素子）１２に結像するレンズ１４と、ＣＣＤ１２に到達する光量を調節する絞り１６と、結像した被写体像を電荷に変換するための光電変換素子を備えるとともに結像した被写体像の光量に応じた電荷を垂直転送及び水平転送を行って出力するＣＣＤ１２と、ＣＣＤ１２から出力された信号をフィードスルーレベルとデータレベルとに分離するＣＤＳ処理部（相関２重サンプリング処理部）２０と、ＣＣＤ１２のフィルタ配列に対応した点順次のアナログのＲ、Ｇ、Ｂの信号に同時化変換して出力する３線化処理部２２とが設けられている。
【００１２】
また、前記アナログのＲ、Ｇ、Ｂ信号をデジタルデータに変換するＡ／Ｄ変換器２４と、Ｒ、Ｇ、ＢのうちのＲの原色データに対して他のＧ及びＢの原色データのうちの少なくともいずれか一つと演算してＲ’の新たな原色データを求めるとともに、他のＧ及びＢの原色データに対しても同様にＧ’、Ｂ’の新たな原色データを求めるリニアマトリックス変換手段３０と、各色信号から黒レベルの参照データを減算するオプティカルブラック処理手段３２とが設けられている。
【００１３】
リニアマトリックス変換手段３０の後段には、ホワイトバランス等を補正するＲＧＢゲイン調節手段３４と、ガンマ補正を行うγ処理手段３６と、Ｒ’、Ｇ’、Ｂ’の原色データを輝度データＹや色差データＣに変換するＹＣ変換手段３８と、色差データＣのクロマゲインを調節するＡＰＣクロマゲイン調節部４０と、ＹＣ変換された画像データをＪＰＥＧ等の書式に従って指定された割合にデータ量を減少させる圧縮手段４２と、画像データを含む情報を記憶する記録媒体４４に対して情報を読み書きするためのインターフェースである記録Ｉ／Ｆ４６と、画像データを含む情報を他の機器に無線又は有線の通信手段を用いて通信する通信Ｉ／Ｆ４８と、リニアマトリックス変換手段３０の後段にはＲ’、Ｂ’、Ｃ’の画像データからオートフォーカスや自動露出（ＡＥ）を実施する際の評価値を算出するオート評価値算出手段５０とが設けられている。
【００１４】
オート評価値算出手段５０では、全画面のＲＧＢ画像データから輝度データＹを生成して所定の領域毎に分割して各評価値を算出してもよいし、簡易的に全画面の緑色の原色データＧを所定の領域毎に分割して各評価値を算出してもよい。
【００１５】
次に、撮影時においてＣＣＤ１２から得られる撮像信号が記録媒体４４に記録されるまでの流れについて説明する。
【００１６】
図１に示されているように、ＣＣＤ１２上に結像した被写体像は画像信号に光電変換されてＣＤＳ回路２０に出力される。ＣＤＳ回路２０では、画像信号を相関２重サンプリングしてフィードスルーレベルとデータレベルとに分離して出力する。ＣＣＤ１２が単板で構成されている場合には、１つの固体撮像素子（ＣＣＤ１２）の受光面には色分離フィルタが組み込まれている。この色分離フィルタは、例えば赤色、緑色、青色の原色を各々透過する微妙なカラーフィルタ、あるいはシアン、マゼンタ、イエローの補色を各々透過する微妙なカラーフィルタを固体撮像素子の各画素の前面を覆うように所定のパターンで配列されている。したがって、ＣＣＤ１２からは、前記カラーフィルタの配列パターンに従った個別の色信号が１ラインずつ順次出力される。次の３線化処理部２２では、相関２重サンプリングされたＣＣＤ１２のカラーフィルタの配列に従った画像信号をマトリックス演算してＲ、Ｇ、Ｂの各色分離した信号を得る。
【００１７】
また、ＣＣＤ１２が各原色フィルタ毎に複数設けられている場合には、撮像素子の構成に応じて相関２重サンプリングを行って各原色信号を得る。
【００１８】
Ｒ、Ｇ、Ｂの各色信号は、次のＡ／Ｄ変換器２４でＡ／Ｄ変換されてデジタルの画像データとなる。色分離が終了したＲ、Ｇ、Ｂ原色信号は、ＣＣＤ１２に設けられている個々のカラーフィルタの分光透過率に影響された値となっているため、実際の被写体が発している色相や色の飽和度を正しく反映したものとは異なっている。そこで、リニアマトリックス変換手段３０ではＡ／Ｄ変換器から得たＲ、Ｇ、Ｂデータを入力して光電変換素子の光電変換特性に合わせて色相、色、輝度を変換、補正して新たなＲＧＢ原色データを出力する。
【００１９】
以下に、リニアマトリックス変換手段３０でＲ、Ｇ、Ｂの各画像データからＲ’、Ｇ’、Ｂ’の新たな原色データを求める処理の演算式の例を示す。
【００２０】
【数１】
0004240256.tif 000002
但し、上記ａ〜ｉは定数。
【００２１】
上記の原色補正処理を行った画像データは次のオプティカルブラック処理手段３２にて、原色データから、ＣＣＤ１２が発する暗電流に相当する黒レベルデータを減算する等の演算処理を行って、ゆらぎを含む暗電流分が補正された画像信号を得るようにしている。
【００２２】
次に画像データはＲＧＢゲイン調節手段３４にて、オート評価値算出手段５０で算出した輝度や色相に関する評価値を参照して各原色データのゲインをそれぞれ調節してホワイトバランス調節を行い、γ処理手段３６の非直線増幅手段を用いて階調特性を変換し、ＹＣ変換手段３８にてＲＧＢの原色データから輝度データＹと色差データＣを生成する。
【００２３】
次のＡＰＣクロマゲイン調節部４０にて画像の輪郭補正と色差データの補正を実施するとともに各原色データを増幅して輝度レベル補正を行って、圧縮手段４２にて画像データの記録又は送信用に画像データの容量を減少させる圧縮処理を実施する。圧縮された画像データは記録Ｉ／Ｆ４６を介して記録媒体４４に記録される。また、画像データを他の機器に転送する場合には、圧縮された画像データは通信Ｉ／Ｆ４８を介して無線又は有線の通信手段により他の機器に転送される。
【００２４】
図２にカラーＣＣＤの光電変換特性例と理想撮像特性との関係を示す。
【００２５】
同図には、各原色信号のカラーＣＣＤの光電変換特性Ｒｃ、Ｇｃ、Ｂｃと、各原色信号の理想撮像特性Ｒｎ、Ｇｎ、Ｂｎとが示されている。
【００２６】
同図に示すように、例えばカラーＣＣＤの青色の光電変換特性Ｂｃには波長の長い緑色や赤色の情報も含まれている。同様に他のカラーＣＣＤの光電変換特性Ｒｃ、Ｇｃにも他の色の情報が含まれている。従って、Ｒｃ、Ｇｃ、Ｂｃのみを用いて各原色信号を増幅してホワイトバランスを調節してしまうと、理想撮像特性Ｒｎ、Ｇｎ、Ｂｎとは一致せずに色のバランスが崩れてしまう。ホワイトバランス調節にて、各原色信号に対して常に一定のゲイン補正を行っていて且つ補正誤差が全く無い場合には、このバランスが崩れた状態でリニアマトリックス変換による補正を行っても正しく色補正を行うことが可能であるが、ホワイトバランスに調節誤差があったり被写体の色温度の補正を適宜調節する場合にはリニアマトリックス変換を行うとホワイトバランスのずれが強調されたり被写体像の色が再現されなくなってしまう。
【００２７】
そこで、本発明ではホワイトバランス等のゲイン調節を実施する以前の段階でリニアマトリックス変換を実施することによって、ノイズの増幅を少なくするとともに色の再現性を理想撮像特性Ｒｎ、Ｇｎ、Ｂｎに近い良好な状態に保つことが可能となる。
【００２８】
上記の説明では、リニアマトリックス変換手段３０の後段にオプティカルブラック処理手段３２を設けた実施例で示したが、本発明はこれに限定されるものではなく、リニアマトリックス変換手段３０の前段に設けてもよいし、３線化処理部２２の前段に設けててもよい。この場合、オプティカルブラック処理をＡ／Ｄ変換器２４の前段においてアナログ処理手段にて実施してもよいし、Ａ／Ｄ変換器２４の後段においてデジタル処理手段にて実施してもよい。また、ＡＰＣクロマゲイン調節部４０までの信号処理をアナログ処理で実施してもよい。
【００２９】
図３は電子カメラの撮像信号の処理の他の実施の形態を示す流れ図である。
【００３０】
同図に示されている構成で、前記図１に示されている構成と重複する部分の説明は省略し、異なる部分のみ以下に説明する。
【００３１】
図３によれば、電子カメラ１０のＣＣＤ１２からは緑色と赤色と青色との原色信号がＣＣＤ１２のフィルタ配列に応じて点順次に出力される。ＣＣＤ１２から出力された信号をフィードスルーレベルとデータレベルとに分離するとともに、ＣＣＤ１２のフィルタ配列に応じて出力されるＧｒとＧｂとの２種類の緑色の原色信号を含むＧと、赤色Ｒと青色Ｂの原色信号とに分離して出力するＣＤＳ処理部（相関２重サンプリング処理部）１２０とが設けられている。
【００３２】
また、前記緑色の原色信号Ｇと、赤色Ｒと青色Ｂの原色信号とが含まれるＲ／Ｂ信号とをデジタルデータに変換するＡ／Ｄ変換器１２４と、Ｇ、Ｒ／ＢのデータのうちのＲの原色データに対して緑色のＧｒを用いて演算してＲｍの新たな原色データを算出するとともに、他の青色のＢの原色データに対しても同様にＢｍの新たな原色データを算出するリニアマトリックス変換手段１３０と、各画素別の色データＲｍ、Ｇｒｍ、Ｇｂｍ、Ｂｍから独立して黒レベルの参照データを減算してＲｏ、Ｇｒｏ、Ｇｂｏ、Ｂｏの各画素別の原色データを出力するオプティカルブラック処理手段１３２とが設けられている。
【００３３】
リニアマトリックス変換手段１３０の後段には、全画面の画像データからオートフォーカスや自動露出（ＡＥ）を実施する際の評価値を算出するオート評価値算出手段１５０と、ホワイトバランス等を補正してＣＣＤ１２の画素毎のＲｇ、Ｇｒｇ、Ｇｂｇ、Ｂｇの原色データを出力するＲＧＢゲイン調節手段１３４とが設けられている。
【００３４】
次に、撮影時においてＣＣＤ１２から得られる撮像信号が記録する形態まで変換されてゆく流れについて説明する。
【００３５】
図３に示されているように、ＣＣＤ１２上に結像した被写体像は画像信号に光電変換されてＣＤＳ回路１２０に出力される。ＣＤＳ回路１２０では、画像信号を相関２重サンプリングしてフィードスルーレベルとデータレベルとに分離するとともに、ＧｒとＧｂとを含む緑色の原色信号Ｇと、赤色Ｒ及び青色Ｇとから構成されるＲ／Ｇ信号とを出力する。
【００３６】
Ｒ、Ｇｒ、Ｇｂ、Ｂの各色信号は、次のＡ／Ｄ変換器１２４でＡ／Ｄ変換されてデジタルの画像データとなる。色分離が終了したＲ、Ｇｒ、Ｇｂ、Ｂ原色信号は、ＣＣＤ１２に設けられている個々のカラーフィルタの分光透過率に影響された値となっているため、実際の被写体が発している色相や色の飽和度を正しく反映したものとは異なっている。そこで、リニアマトリックス変換手段１３０ではＡ／Ｄ変換器から得たＲ、Ｇｒ、Ｇｂ、Ｂの原色データを入力して光電変換素子の光電変換特性に合わせて色相、色、輝度を変換、補正して１線化した新たなＲｍ、Ｇｒｍ、Ｂｍ、Ｇｂｍの各原色データを出力する。ここでこのように１線化した点順次の画像データを出力することにより、以降の変換手段を全て１系統の回路で構成することが可能となるので電子カメラ１０の信号処理回路を構成する上で好都合となる。
【００３７】
リニアマトリックス変換手段１３０におけるリニアマトリックス変換式は、式（１）に示した計算式を用いてもよいが、下式に示すような簡略化した演算を行っても十分な効果を得ることが可能である。
【００３８】
【数２】
Ｒｍ＝Ｒ−α×Ｇｒ  …（２）
【００３９】
【数３】
Ｇｒｍ＝Ｇｒ          …（３）
【００４０】
【数４】
Ｂｍ＝Ｂ−β×Ｇｂ  …（４）
【００４１】
【数５】
Ｇｂｍ＝Ｇｍ          …（５）
但し、αはＲデータの補正ゲイン値としβはＢデータの補正ゲイン値とし、−０．２５〜＋０．２５程度の値とするとよい。
【００４２】
上記の原色補正処理を行った画像データは次のオプティカルブラック処理手段１３２にて、ＣＣＤ１２から出力される画素に応じた原色画像信号からＣＣＤ１２が発する暗電流に相当する黒レベルデータを減算する等の演算処理を行って、ゆらぎを含む暗電流分が補正されたＲｏ、Ｇｒｏ、Ｂｏ、Ｇｂｏの各原色データを得るようにしている。但し、オプティカルブラック処理手段１３２の前段のリニアマトリックス変換手段１３０にてαとβの係数を用いて原色データを変換した後なので、本オプティカルブラック処理手段１３２では下式に示すような補正を行う必要がある。
【００４３】
【数６】
Ｒｏ＝Ｒｍ−（Ｒｏｆｆ−α×Ｇｒｏｆｆ）  …（６）
【００４４】
【数７】
Ｇｒｏ＝Ｇｒｍ−Ｇｒｏｆｆ                  …（７）
【００４５】
【数８】
Ｂｏ＝Ｂｍ−（Ｂｏｆｆ−β×Ｇｂｏｆｆ）  …（８）
【００４６】
【数９】
Ｇｂｏ＝Ｇｂｍ−Ｇｂｏｆｆ                  …（９）
但し、Ｒｏｆｆ、Ｇｒｏｆｆ、Ｂｏｆｆ、Ｇｂｏｆｆは、Ｒ、Ｇｒ、Ｂ、Ｇｂの黒レベルデータオフセット値で、０〜２５５程度の値とするとよい。
【００４７】
上記の説明では、リニアマトリックス変換手段１３０の後段にオプティカルブラック処理手段１３２を設けた実施例で示したが、本発明はこれに限定されるものではなく、リニアマトリックス変換手段１３０の前段に設けてもよい。但し、電子カメラ１０の画像処理手段の回路構成によっては、オプティカルブラック処理を実施した画像データを格納した後にリニアマトリックス変換をする際に、再び画像データを読み出さねばならず、画像処理に要する時間が長くなるという不具合を生ずる可能性もある。
【００４８】
次にＲＧＢゲイン調節手段１３４にて、オート評価値算出手段１５０で算出した輝度や色相に関する評価値を参照してＣＣＤ１２の画素別に各原色データのゲインをそれぞれ調節してホワイトバランス調節を行い、Ｒｇ、Ｇｒｇ、Ｂｇ、Ｇｂｇの各原色データを出力する。
【００４９】
なお、リニアマトリックス変換手段１３０にてα’とβ’との係数を用いて原色データを変換した後なので本ＲＧＢゲイン調節手段１３４では下式に示すような補正を行う必要がある。
【００５０】
【数１０】
Ｒｇ＝Ｒｏ×Ｒｇａｉｎ×１／（１−α’）  …（１０）
【００５１】
【数１１】
Ｇｒｇ＝Ｇｒｏ×Ｇｒｇａｉｎ                …（１１）
【００５２】
【数１２】
Ｂｇ＝Ｂｏ×Ｂｇａｉｎ×１／（１−β’）  …（１２）
【００５３】
【数１３】
Ｇｂｇ＝Ｇｂｏ×Ｇｂｇａｉｎ                …（１３）
但し、Ｒｇａｉｎ、Ｇｒｇａｉｎ、Ｂｇａｉｎ、ＧｂｇａｉｎはＲ、Ｇｒ、Ｂ、Ｇｂデータのホワイトバランス用のゲイン値で、例えば０〜８倍の値を設定するとよい。また、α’＝Ｋα、β’＝Ｌβ（０≦Ｋ、Ｌ）とする。
【００５４】
図３に示した実施例では、ＲＧＢゲイン調節手段１３４にて入力された１２ビットの原色データをゲイン調節手段１３４で演算する際に下位の２ビットを丸めて１０ビットのデータに変換して出力しているが、本発明はこの方法に限定されるものではない。
【００５５】
次のγ処理手段３６では、１０ビットデータを８ビットデータに非直線増幅手段を用いて階調特性を変換し、ＹＣ変換手段３８にてＲＧＢの原色データから輝度データＹと色差データＣを生成する。以降の信号処理は図１に示した方法と同様に実施する。なお、γ処理手段における階調変換は、予め記憶されている変換テーブルを用いて階調変換を行うテーブル変換方式を用いてもよい。
【００５６】
オート系評価値算出手段１５０にて自動露出（ＡＥ）の評価値を算出する際に、リニアマトリックス変換を実施した原色データに基づいて積算値を算出した後に下記に示す演算を行うことによって、積算した結果と信号処理及び記録する各データとの相関が取りやすく、またＡＥ評価値のホワイトバランスが取りやすくなるとともに、ＣＣＤ１２のダイナミックレンジ特性を有効に利用した撮影を行うためのＡＥ値を算出することが可能となる。
【００５７】
なお、利用する画像データはリニアマトリックス変換手段１３０にてα’とβ’との係数を用いて原色データを変換した後なので、本オート系評価値算出手段１５０では必要に応じて下式に示すような補正を行ってもよい。
【００５８】
【数１４】
Ｒ評価値＝Ｒ積算値×１／（１−α’）  …（１４）
【００５９】
【数１５】
Ｇ評価値＝Ｇ積算値                    …（１５）
【００６０】
【数１６】
Ｂ評価値＝Ｂ積算値×１／（１−β’）  …（１６）
但し、α’＝Ｋα、β’＝Ｌβ（０≦Ｋ、Ｌ）とする。
【００６１】
図３に示した例では、オート系評価値算出手段１５０ではオプティカルブラック処理を実施していない画像データを用いて評価値を算出しているが、一般にオプティカルブラック処理による補正量は僅かであることと安定した値であるため、オート系の評価値を算出する際にオプティカルブラック処理は不要である。また、より高精度の評価値を算出する必要がある場合にはオート系評価値算出手段１５０内にオフセット手段を設けてオプティカルブラック処理を実施してもよい。
【００６２】
【発明の効果】
以上説明したように本発明に係る電子カメラによれば、撮像素子を用いて被写体像を撮像し該撮像により取得される複数の原色信号の画像データを出力する撮像手段と、前記撮像手段から出力された原色信号の画像データに対して画像処理を実施して新たな原色信号の画像データを出力する画像処理手段とを備え、前記画像処理手段は撮像素子の光電変換特性を前記原色信号の画像データに対して補正変換するリニアマトリックス変換手段と、前記リニアマトリックス変換を行った後に原色信号のゲインを調節するホワイトバランス調節手段とを含むので、ノイズが少なく色の再現性が良好な電子カメラを提供することが可能となる。
【００６３】
また、上記のように画像データの色の再現性を良好に保つことにより、画像データに基づいて用紙に画像をプリントする際に色の補正を少なくしたり、色の補正が不要にすることが可能となる。
【図面の簡単な説明】
【図１】電子カメラの撮像信号の処理を示す流れ図
【図２】カラーＣＣＤの光電変換特性と理想撮像特性との関係を示す図
【図３】電子カメラの撮像信号の処理の他の実施の形態を示す流れ図
【符号の説明】
１０…電子カメラ、１２…ＣＣＤ（固体撮像素子）、１４…レンズ、１６…絞り、２０…ＣＤＳ処理部、２２…３線化処理部、２４…Ａ／Ｄ変換器、３０…リニアマトリックス変換手段、３２…オプティカルブラック処理手段、３４…ＲＧＢゲイン調節手段、３６…γ処理手段、３８…ＹＣ変換手段、４０…ＡＰＣクロマゲイン調節部、４２…圧縮手段、４４…記録媒体、４６…記録Ｉ／Ｆ、４８…通信Ｉ／Ｆ、５０…オート評価値算出手段、１２０…ＣＤＳ処理部、１２４…Ａ／Ｄ変換器、１３０…リニアマトリックス変換手段、１３２…オプティカルブラック処理手段、１３４…ＲＧＢゲイン調節手段、１３６…γ処理手段、１５０…オート評価値算出手段
【図１】
0004240256.tif 000003
【図２】
0004240256.tif 000004
【図３】
0004240256.tif 000005